(57)【要約】【課題】ネットスーパーサイト等において、ユーザが送料無料条件等の所定の条件が充足されたか否かを容易に確認することができ、買い物かごの表示が商品情報を大きく又は多く表示する際の妨げにならないようにする端末装置等を提供する。【解決手段】買い物かごを、所定の条件が充足されるまで第１表示領域に表示させる一方、所定の条件が充足された後には第１表示領域より下方の第２表示領域に表示させるなどの表示制御を行う。【選択図】図８
2011159062.tif 000002
【特許請求の範囲】
【請求項１】
商品の取引に関する電子商取引サイトを提供するサーバ装置に、ネットワークを介して接続する端末装置であって、
前記サーバ装置から、前記商品に関する商品情報を複数商品分受信する受信手段と、
前記受信した複数商品分の商品情報を表示する取引画面を表示部に表示させる表示制御手段と、
前記取引画面において表示される商品情報に対応する商品を取引するものとして選択する選択操作を検出する選択操作検出手段と、
を備え、
前記表示制御手段は、前記選択操作により取引するものとして選択されている商品に関する選択済み商品関連情報を、前記選択されている商品のその時点の取引状況が所定の取引条件を満たさない場合は、前記取引画面における第１表示領域に表示させる一方、前記取引条件が満たされている場合には、当該選択済み商品関連情報を、前記第１表示領域とは異なる前記取引画面の第２表示領域に表示させ、
前記第２表示領域は、前記第１表示領域よりも前記取引画面の下方に位置することを特徴とする端末装置。
【請求項２】
請求項１に記載の端末装置であって、
前記第１表示領域は、前記取引画面において表示される商品情報より上方であることを特徴とする端末装置。
【請求項３】
請求項１に記載の端末装置であって、
前記第１表示領域は、前記取引画面において表示される商品情報と画面の上下方向において重なる部分を有することを特徴とする端末装置。
【請求項４】
請求項１乃至請求項３の何れか一項に記載の端末装置であって、
前記第２表示領域は、前記取引画面において表示される商品情報より下方であることを特徴とする端末装置。
【請求項５】
請求項１乃至請求項４の何れか一項に記載の端末装置であって、
前記取引条件は、前記選択操作により選択された商品の価格の合計額が、商品の配送料金を無料とする金額として予め定められた送料無料金額に達することにより満たされることを特徴とする端末装置。
【請求項６】
請求項５に記載の端末装置であって、
前記表示制御手段は、前記取引条件を満たさない場合は、前記選択操作により選択された商品の価格の合計額と前記送料無料金額との差額を前記取引画面に表示し、前記取引条件が満たされた場合には、前記差額を前記取引画面に表示しないことを特徴とする端末装置。
【請求項７】
請求項１乃至請求項４の何れか一項に記載の端末装置であって、
前記取引条件は、前記選択操作により選択された商品の数が、商品の配送料金を無料とする数として予め定められた送料無料数に達することにより満たされることを特徴とする端末装置。
【請求項８】
商品の取引に関する電子商取引サイトを提供するサーバ装置に、ネットワークを介して接続する端末装置であって、
前記サーバ装置から、前記商品に関する商品情報を複数商品分受信する受信手段と、
前記受信した複数商品分の商品情報を表示する取引画面を表示部に表示させる表示制御手段と、
前記取引画面において表示される商品情報に対応する商品を取引するものとして選択する選択操作を検出する選択操作検出手段と、
を備え、
前記表示制御手段は、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする端末装置。
【請求項９】
請求項８に記載の端末装置であって、
前記表示制御手段は、前記取引条件が満たされた場合には、前記選択済み商品関連情報を表示させるための表示操作を検出することにより前記選択済み商品関連情報を表示可能なようにしつつ、前記取引画面に表示させないことを特徴とする端末装置。
【請求項１０】
請求項８又は９に記載の端末装置であって、
前記取引条件は、前記選択操作により選択された商品の価格の合計額が、商品の配送料金を無料とする金額として予め定められた送料無料金額に達することにより満たされることを特徴とする端末装置。
【請求項１１】
請求項１０に記載の端末装置であって、
前記表示制御手段は、前記取引条件が満たさない場合は、前記選択操作により選択された商品の価格の合計額と、前記送料無料金額との差額を前記取引画面に表示し、前記取引条件が満たされた場合には、前記差額を前記取引画面に表示しないことを特徴とする端末装置。
【請求項１２】
請求項８に記載の端末装置であって、
前記取引条件は、前記選択操作により選択された商品の数が、商品の配送料金を無料とする数として予め定められた送料無料数に達することにより満たされることを特徴とする端末装置。
【請求項１３】
請求項１乃至請求項１２の何れか一項に記載の端末装置であって、
前記選択済み商品関連情報は、前記選択操作により選択された商品の名称、価格、及び当該選択操作により選択された商品の価格の合計額、の少なくとも何れか一つを示す情報であることを特徴とする端末装置。
【請求項１４】
請求項１乃至請求項１３の何れか一項に記載の端末装置であって、
前記電子商取引サイトは、ネットスーパーサイトであることを特徴とする端末装置。
【請求項１５】
コンピュータを、
商品の取引に関する電子商取引サイトを提供するサーバ装置にネットワークを介して接続し、前記商品に関する商品情報を複数の商品分受信する受信手段、
前記受信した複数商品分の商品情報を表示する取引画面を表示部に表示させる表示制御手段、
前記取引画面において表示される商品情報に対応する商品を取引するものとして選択する選択操作を検出する選択操作検出手段、
として機能させる商品情報表示プログラムであって、
前記表示制御手段として機能させる際には、前記選択操作により取引するものとして選択されている商品に関する選択済み商品関連情報を、前記選択されている商品のその時点の取引状況が所定の取引条件を満たさない場合は、前記取引画面における第１表示領域の何れかの領域に表示させる一方、前記取引条件が満たされている場合には、当該選択済み商品関連情報を、前記第１の領域とは異なる前記取引画面の第２表示領域に表示させ、
前記第２表示領域は、前記第１表示領域よりも前記取引画面の下方に位置することを特徴とする商品情報表示プログラム。
【請求項１６】
コンピュータを、
商品の取引に関する電子商取引サイトを提供するサーバ装置にネットワークを介して接続し、前記商品に関する商品情報を複数の商品分受信する受信手段、
前記受信した複数商品分の商品情報を表示する取引画面を表示部に表示させる表示制御手段、
前記取引画面において表示される商品情報に対応する商品を取引するものとして選択する選択操作を検出する選択操作検出手段、
として機能させる商品情報表示プログラムであって、
前記表示制御手段は、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする商品情報表示プログラム。
【請求項１７】
コンピュータが、商品の取引に関する電子商取引サイトを提供するサーバ装置にネットワークを介して接続し、前記商品に関する商品情報を複数の商品分受信するステップと、
前記コンピュータが、前記受信した複数商品分の商品情報を表示する取引画面を表示部に表示させるステップと、
前記コンピュータが、前記取引画面において表示される商品情報に対応する商品を取引ものとして選択するする選択操作を検出するステップと、
前記コンピュータが、前記選択操作により取引するものとして選択されている商品に関する選択済み商品関連情報を、前記選択されている商品のその時点の取引状況が所定の取引条件を満たさない場合は、前記取引画面における第１表示領域の何れかの領域に表示させる一方、前記取引条件が満たされている場合には、当該選択済み商品関連情報を、前記第１の領域とは異なり且つ前記第１の領域よりも下方に位置する前記取引画面の第２表示領域に表示させるステップと、
を含むことを特徴とする商品情報表示方法。
【請求項１８】
コンピュータが、商品の取引に関する電子商取引サイトを提供するサーバ装置にネットワークを介して接続し、前記商品に関する商品情報を複数の商品分受信するステップと、
前記コンピュータが、前記受信した複数商品分の商品情報を表示する取引画面を表示部に表示させる表示制御手段と、
前記コンピュータが、前記取引画面において表示される商品情報に対応する商品を取引するものとして選択する選択操作を検出するステップと、
前記コンピュータが、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないステップと、
を含むことを特徴とする商品情報表示方法。
【請求項１９】
ネットワークを介して接続された端末装置に対して、商品の取引に関する電子商取引サイトを提供するサーバ装置であって、
前記商品に関する商品情報を格納する商品情報格納手段と、
前記端末装置に対して、複数商品分の商品情報を表示する取引画面を当該端末装置の表示部に表示させるための表示データを、前記商品情報格納手段を参照して生成する表示データ生成手段と、
前記端末装置に対して、前記表示データ生成手段で生成された前記表示データを送信する送信手段と、
前記端末装置から、前記取引画面において表示される商品情報に対応する商品のうち取引するものとして選択された商品を識別するための選択商品識別情報を受信する受信手段と、
を備え、
前記表示データ生成手段は、前記受信手段により受信された選択商品識別情報に基づいて選択操作された商品を識別し、これら識別された商品に関する商品情報のうち、取引に関係する選択済み商品関連情報を前記商品格納手段から取得して、前記選択された商品のその時点の取引状況が所定の取引条件を満たさない場合は、前記取引画面における第１表示領域に前記選択済み商品関連情報を表示させる前記表示データを前記端末装置に対して送信する一方、前記取引条件が満たされている場合には、前記選択済み商品関連情報を前記第１の領域とは異なる前記取引画面の第２表示領域に表示させる前記表示データを前記端末装置に対して送信し、
前記第２の領域は、前記第１の領域よりも前記取引画面の下方に位置することを特徴とするサーバ装置。
【請求項２０】
ネットワークを介して接続された端末装置に対して、商品の取引に関する電子商取引サイトを提供するサーバ装置であって、
前記商品に関する商品情報を格納する商品情報格納手段と、
前記端末装置に対して、複数商品分の商品情報を表示する取引画面を当該端末装置の表示部に表示させるための表示データを、前記商品情報格納手段を参照して生成する表示データ生成手段と、
前記端末装置に対して、前記表示データ生成手段で生成された前記表示データを送信する送信手段と、
前記端末装置から、前記取引画面において表示される商品情報に対応する商品のうち取引するものとして選択された商品を識別するための選択商品識別情報を受信する受信手段と、
を備え、
前記表示データ生成手段は、前記受信手段により受信された選択商品識別情報に基づいて選択操作された商品を識別し、これら識別された商品に関する商品情報のうち、取引に関係する選択済み商品関連情報を前記商品格納手段から取得して、前記選択された商品のその時点の取引状況が所定の取引条件を満たさない場合は、前記取引画面において前記選択済み商品関連情報を表示させる前記表示データを前記端末装置に対して送信する一方、前記取引条件が満たされている場合には、前記選択済み商品関連情報を前記取引画面に表示させない前記表示データを前記端末装置に対して送信することを特徴とするサーバ装置。
【発明の詳細な説明】
【技術分野】
【０００１】
本発明は、インターネット等のネットワークを利用した電子商取引の技術分野に関する。
【背景技術】
【０００２】
近年、インターネット上で多くの店舗が出店するショッピングモールを提供するサイト（以下、「ショッピングモールサイト」という）が知られている。ショッピングモールのユーザ（利用者）は、ショッピングモールサイトからユーザ端末に送信されたＷｅｂページを通じて、出店者がショッピングモールに出品した商品の中から所望の商品を選択し、注文手続きを経て、選択した商品を購入できるようになっている（例えば、特許文献１参照）。
【先行技術文献】
【特許文献】
【０００３】
【特許文献１】特開２００２−２３６６９４号公報
【発明の概要】
【発明が解決しようとする課題】
【０００４】
ショッピングモールサイトでは、商品選択画面にて商品を選択すると、選択された商品がいわゆる買い物かごに登録される。買い物かごに登録された商品（すなわち、買い物かごの中身）の表示は、通常固定化されていた。そのため、買い物かごが非表示のショッピングモールサイトに関しては、確認したい際には常に何らかの操作が要求されることが多い一方、買い物かごが固定で表示されているショッピングモールサイトに関しては、買い物かごの確認が仮に不要であっても常に表示されていた。
【０００５】
本発明は、こうした点に鑑みてなされたものであり、その課題の一例は、ユーザが商品の購入について所定の取引条件が満たされていない場合には、自分の選択した商品に関する情報（例えば、買い物かごの中身）を容易に把握することができるとともに、取引条件が満たされている場合には、商品情報を大きく又は多く表示する際に自分の選択した商品に関する情報が妨げになることが抑制された端末装置、商品情報表示プログラム、商品情報表示方法及びサーバ装置を提供することにある。
【課題を解決するための手段】
【０００６】
上記課題を解決するために、請求項１に記載の発明は、商品の取引に関する電子商取引サイトを提供するサーバ装置に、ネットワークを介して接続する端末装置であって、前記サーバ装置から、前記商品に関する商品情報を複数商品分受信する受信手段と、前記受信した複数商品分の商品情報を表示する取引画面を表示部に表示させる表示制御手段と、前記取引画面において表示される商品情報に対応する商品を取引するものとして選択する選択操作を検出する選択操作検出手段と、を備え、前記表示制御手段は、前記選択操作により取引するものとして選択されている商品に関する選択済み商品関連情報を、前記選択されている商品のその時点の取引状況が所定の取引条件を満たさない場合は、前記取引画面における第１表示領域に表示させる一方、前記取引条件が満たされている場合には、当該選択済み商品関連情報を、前記第１表示領域とは異なる前記取引画面の第２表示領域に表示させ、前記第２表示領域は、前記第１表示領域よりも前記取引画面の下方に位置することを特徴とする。
【０００７】
請求項１に記載の発明によれば、選択済み商品関連情報は、商品選択に関する所定の取引条件が満たされない場合には、表示部における第１表示領域に表示される一方、取引条件が満たされる場合には、当該選択済み商品関連情報の表示領域（第２表示領域）は下方に移動させられる。
【０００８】
したがって、ユーザは、取引条件が充足されるまで、第１表示領域で選択済み商品関連情報を確認することができ、また、選択済み商品関連情報が第１表示領域から第２表示領域に移動されたことに基づいて、取引条件が充足されたことを認識することができる。更に、取引条件が充足された場合は、選択済み商品関連情報の表示が下方へ移動するので、ユーザの視認性が高い画面上方において商品情報を大きく又は多く表示する際の妨げにならないことから、ユーザの視認性を向上させられるとともに、表示領域を有効活用できる。
【０００９】
請求項２に記載の発明は、請求項１に記載の端末装置であって、前記第１表示領域は、前記取引画面において表示される商品情報より上方であることを特徴とする。この場合、第１表示領域は商品情報より上方であるため、取引条件を満たさない場合において、選択済み商品関連情報の視認性が向上する。
【００１０】
請求項３に記載の発明は、請求項１に記載の端末装置であって、前記第１表示領域は、前記取引画面において表示される商品情報と画面の上下方向において重なる部分を有することを特徴とする。この場合、第１表示領域は商品情報と上下方向において重なるめ、取引条件を満たさない場合において、選択済み商品関連情報と商品情報を同時に確認するための視認性が向上する。
【００１１】
請求項４に記載の発明は、請求項１乃至請求項３の何れか一項に記載の端末装置であって、前記第２表示領域は、前記取引画面において表示される商品情報より下方であることを特徴とする。この場合、取引条件を満たす場合において、第２表示領域は商品情報より下方に位置するため、選択済み商品関連情報が商品情報を大きく又は多く表示する際の妨げにならない。
【００１２】
請求項５に記載の発明は、請求項１乃至請求項４の何れか一項に記載の端末装置であって、前記取引条件は、前記選択操作により選択された商品の価格の合計額が、商品の配送料金を無料とする金額として予め定められた送料無料金額に達することにより満たされることを特徴とする。
【００１３】
請求項５に記載の発明によれば、ユーザは、自分が選択した商品の価格の合計額が送料無料金額に達するまでの間、選択済み商品関連情報を確認しながら商品を選択することができる。また、選択済み商品関連情報が第１表示領域から第２表示領域に移動されたことに基づいて、送料無料金額に達したことを認識することができる。
【００１４】
請求項６に記載の発明は、請求項５に記載の端末装置であって、前記表示制御手段は、前記取引条件を満たさない場合は、前記選択操作により選択された商品の価格の合計額と前記送料無料金額との差額を前記取引画面に表示し、前記取引条件が満たされた場合には、前記差額を前記取引画面に表示しないことを特徴とする。
【００１５】
請求項６に記載の発明によれば、ユーザの選択した商品の価格の合計額が送料無料金額に達するまでの間、送料無料金額に達するまでの残り金額が表示されることから、ユーザは、送料無料金額に達するまで、あと幾ら分、商品を選択すればよいか、容易に把握することができる。
【００１６】
請求項７に記載の発明は、請求項１乃至請求項４の何れか一項に記載の端末装置であって、前記取引条件は、前記選択操作により選択された商品の数が、商品の配送料金を無料とする数として予め定められた送料無料数に達することにより満たされることを特徴とする。
【００１７】
請求項７に記載の発明によれば、ユーザは、自分が選択した商品の数が送料無料数に達するまでの間、選択済み商品関連情報を確認しながら商品を選択することができる。また、選択済み商品関連情報が第１表示領域から第２表示領域に移動されたことに基づいて、送料無料数に達したことを認識することができる。
【００１８】
請求項８に記載の発明は、商品の取引に関する電子商取引サイトを提供するサーバ装置に、ネットワークを介して接続する端末装置であって、前記サーバ装置から、前記商品に関する商品情報を複数商品分受信する受信手段と、前記受信した複数商品分の商品情報を表示する取引画面を表示部に表示させる表示制御手段と、前記取引画面において表示される商品情報に対応する商品を取引するものとして選択する選択操作を検出する選択操作検出手段と、を備え、前記表示制御手段は、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする。
【００１９】
請求項８に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
【００２０】
したがって、ユーザは、取引条件が充足されるまで、取引画面で選択済み商品関連情報を確認することができ、また、選択済み商品関連情報が表示されなくなったことに基づいて、取引条件が充足されたことを認識することができる。更に、取引条件が充足された場合は、選択済み商品関連情報が表示されなくなるので、選択済み商品関連情報が商品情報を大きく又は多く表示する際の妨げにならない。よって、ユーザの視認性を向上させられるとともに、表示領域を有効活用できる。
【００２１】
請求項９に記載の発明は、請求項８に記載の端末装置であって、前記表示制御手段は、前記取引条件が満たされた場合には、前記選択済み商品関連情報を表示させるための表示操作を検出することにより前記選択済み商品関連情報を表示可能なようにしつつ、前記取引画面に表示させないことを特徴とする。この場合、表示操作をすることでいつでも選択済み商品関連情報を確認することができる。
【００２２】
請求項１０に記載の発明は、請求項８又は９に記載の端末装置であって、前記取引条件は、前記選択操作により選択された商品の価格の合計額が、商品の配送料金を無料とする金額として予め定められた送料無料金額に達することにより満たされることを特徴とする。
【００２３】
請求項１０に記載の発明によれば、ユーザは、自分が選択した商品の価格の合計額が送料無料金額に達するまでの間、選択済み商品関連情報を確認しながら商品を選択することができる。また、選択済み商品関連情報が取引画面から表示されなくなったことに基づいて、送料無料金額に達したことを認識することができる。
【００２４】
請求項１１に記載の発明は、請求項１０に記載の端末装置であって、前記表示制御手段は、前記取引条件が満たさない場合は、前記選択操作により選択された商品の価格の合計額と、前記送料無料金額との差額を前記取引画面に表示し、前記取引条件が満たされた場合には、前記差額を前記取引画面に表示しないことを特徴とする。
【００２５】
請求項１１に記載の発明によれば、ユーザの選択した商品の価格の合計額が送料無料金額に達するまでの間、送料無料金額に達するまでの残り金額が表示されることから、ユーザは、送料無料金額に達するまで、あと幾ら分、商品を選択すればよいか、容易に把握することができる。
【００２６】
請求項１２に記載の発明は、請求項８に記載の端末装置であって、前記取引条件は、前記選択操作により選択された商品の数が、商品の配送料金を無料とする数として予め定められた送料無料数に達することにより満たされることを特徴とする。
【００２７】
請求項１２に記載の発明によれば、ユーザは、自分が選択した商品の数が送料無料数に達するまでの間、選択済み商品関連情報を確認しながら商品を選択することができる。また、選択済み商品関連情報が取引画面から表示されなくなったことに基づいて、送料無料数に達したことを認識することができる。
【００２８】
請求項１３に記載の発明は、請求項１乃至請求項１２の何れか一項に記載の端末装置であって、前記選択済み商品関連情報は、前記選択操作により選択された商品の名称、価格、及び当該選択操作により選択された商品の価格の合計額、の少なくとも何れか一つを示す情報であることを特徴とする。
【００２９】
請求項１３に記載の発明によれば、ユーザは、自分が選択した商品の名称、価格、及び選択した商品の価格の合計額、の少なくとも何れか一つを示す情報を認識することができる。
【００３０】
請求項１４に記載の発明は、請求項１乃至請求項１３の何れか一項に記載の端末装置であって、前記電子商取引サイトは、ネットスーパーサイトであることを特徴とする。
【００３１】
数万種類にわたる商品を取り扱い、また取扱商品が比較的少額であるネットスーパーサイトにおいては、例えば送料無料となる購入額に達するには、複数の商品を購入しなければならないことが多い。そのため、送料無料までは、選択済み商品関連情報が確認しやすい位置にあることが好ましい。しかしながら、一旦送料無料まで購入額が達してしまった後は、選択済み商品関連情報を確認する必要性は薄れ、むしろ多商品を扱うネットスーパーの商品提示画面を少しでも大きくしたいということが望まれる。そのため、このように、取引条件を満たすことによって選択済み商品関連情報が下方に移動することは、ネットスーパーサイトには好適である。
【００３２】
請求項１５に記載の発明は、コンピュータを、商品の取引に関する電子商取引サイトを提供するサーバ装置にネットワークを介して接続し、前記商品に関する商品情報を複数の商品分受信する受信手段、前記受信した複数商品分の商品情報を表示する取引画面を表示部に表示させる表示制御手段、前記取引画面において表示される商品情報に対応する商品を取引するものとして選択する選択操作を検出する選択操作検出手段、として機能させる商品情報表示プログラムであって、前記表示制御手段として機能させる際には、前記選択操作により取引するものとして選択されている商品に関する選択済み商品関連情報を、前記選択されている商品のその時点の取引状況が所定の取引条件を満たさない場合は、前記取引画面における第１表示領域の何れかの領域に表示させる一方、前記取引条件が満たされている場合には、当該選択済み商品関連情報を、前記第１の領域とは異なる前記取引画面の第２表示領域に表示させ、前記第２表示領域は、前記第１表示領域よりも前記取引画面の下方に位置することを特徴とする。
【００３３】
請求項１５に記載の発明によれば、選択済み商品関連情報は、商品選択に関する所定の取引条件が満たされない場合には、表示部における第１表示領域に表示される一方、取引条件が満たされる場合には、当該選択済み商品関連情報の表示領域（第２表示領域）は下方に移動させられる。
【００３４】
したがって、ユーザは、取引条件が充足されるまで、第１表示領域で選択済み商品関連情報を確認することができ、また、選択済み商品関連情報が第１表示領域から第２表示領域に移動されたことに基づいて、取引条件が充足されたことを認識することができる。更に、取引条件が充足された場合は、選択済み商品関連情報の表示が下方へ移動するので、ユーザの視認性が高い画面上方において商品情報を大きく又は多く表示する際の妨げにならないことから、ユーザの視認性を向上させるともに、表示領域を有効活用できる。
【００３５】
請求項１６に記載の発明は、コンピュータを、商品の取引に関する電子商取引サイトを提供するサーバ装置にネットワークを介して接続し、前記商品に関する商品情報を複数の商品分受信する受信手段、前記受信した複数商品分の商品情報を表示する取引画面を表示部に表示させる表示制御手段、前記取引画面において表示される商品情報に対応する商品を取引するものとして選択する選択操作を検出する選択操作検出手段、として機能させる商品情報表示プログラムであって、前記表示制御手段は、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないことを特徴とする。
【００３６】
請求項１６に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
【００３７】
したがって、ユーザは、取引条件が充足されるまで、取引画面で選択済み商品関連情報を確認することができ、また、選択済み商品関連情報が表示されなくなったことに基づいて、取引条件が充足されたことを認識することができる。更に、取引条件が充足された場合は、選択済み商品関連情報が表示されなくなるので、選択済み商品関連情報が商品情報を大きく又は多く表示する際の妨げにならない。よって、ユーザの視認性を向上させられるとともに、表示領域を有効活用できる。
【００３８】
請求項１７に記載の発明は、コンピュータが、商品の取引に関する電子商取引サイトを提供するサーバ装置にネットワークを介して接続し、前記商品に関する商品情報を複数の商品分受信するステップと、前記コンピュータが、前記受信した複数商品分の商品情報を表示する取引画面を表示部に表示させるステップと、前記コンピュータが、前記取引画面において表示される商品情報に対応する商品を取引ものとして選択するする選択操作を検出するステップと、前記コンピュータが、前記選択操作により取引するものとして選択されている商品に関する選択済み商品関連情報を、前記選択されている商品のその時点の取引状況が所定の取引条件を満たさない場合は、前記取引画面における第１表示領域の何れかの領域に表示させる一方、前記取引条件が満たされている場合には、当該選択済み商品関連情報を、前記第１の領域とは異なり且つ前記第１の領域よりも下方に位置する前記取引画面の第２表示領域に表示させるステップと、を含むことを特徴とする。
【００３９】
請求項１７に記載の発明によれば、選択済み商品関連情報は、商品選択に関する所定の取引条件が満たされない場合には、表示部における第１表示領域に表示される一方、取引条件が満たされる場合には、当該選択済み商品関連情報の表示領域（第２表示領域）は下方に移動させられる。
【００４０】
したがって、ユーザは、取引条件が充足されるまで、第１表示領域で選択済み商品関連情報を確認することができ、また、選択済み商品関連情報が第１表示領域から第２表示領域に移動されたことに基づいて、取引条件が充足されたことを認識することができる。更に、取引条件が充足された場合は、選択済み商品関連情報の表示が下方へ移動するので、ユーザの視認性が高い画面上方において商品情報を大きく又は多く表示する際の妨げにならないことから、ユーザの視認性を向上させるともに、表示領域を有効活用できる。
【００４１】
請求項１８に記載の発明は、コンピュータが、商品の取引に関する電子商取引サイトを提供するサーバ装置にネットワークを介して接続し、前記商品に関する商品情報を複数の商品分受信するステップと、前記コンピュータが、前記受信した複数商品分の商品情報を表示する取引画面を表示部に表示させる表示制御手段と、前記コンピュータが、前記取引画面において表示される商品情報に対応する商品を取引するものとして選択する選択操作を検出するステップと、前記コンピュータが、前記選択操作により取引するものとして選択されている商品に関する選択済み商品関連情報を、前記選択されている商品のその時点の取引状況が所定の取引条件を満たさない場合は、前記取引画面に表示させる一方、前記取引条件が満たされている場合には、当該選択済み商品関連情報を前記取引画面に表示させないステップと、を含むことを特徴とする。
【００４２】
請求項１８に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
【００４３】
したがって、ユーザは、取引条件が充足されるまで、取引画面で選択済み商品関連情報を確認することができ、また、選択済み商品関連情報が表示されなくなったことに基づいて、取引条件が充足されたことを認識することができる。更に、取引条件が充足された場合は、選択済み商品関連情報が表示されなくなるので、選択済み商品関連情報が商品情報を大きく又は多く表示する際の妨げにならない。よって、ユーザの視認性を向上させられ
るとともに、表示領域を有効活用できる。
【００４４】
請求項１９に記載の発明は、ネットワークを介して接続された端末装置に対して、商品の取引に関する電子商取引サイトを提供するサーバ装置であって、前記商品に関する商品情報を格納する商品情報格納手段と、前記端末装置に対して、複数商品分の商品情報を表示する取引画面を当該端末装置の表示部に表示させるための表示データを、前記商品情報格納手段を参照して生成する表示データ生成手段と、前記端末装置に対して、前記表示データ生成手段で生成された前記表示データを送信する送信手段と、前記端末装置から、前記取引画面において表示される商品情報に対応する商品のうち取引するものとして選択された商品を識別するための選択商品識別情報を受信する受信手段と、を備え、前記表示データ生成手段は、前記受信手段により受信された選択商品識別情報に基づいて選択操作された商品を識別し、これら識別された商品に関する商品情報のうち、取引に関係する選択済み商品関連情報を前記商品格納手段から取得して、前記選択された商品のその時点の取引状況が所定の取引条件を満たさない場合は、前記取引画面における第１表示領域に前記選択済み商品関連情報を表示させる前記表示データを前記端末装置に対して送信する一方、前記取引条件が満たされている場合には、前記選択済み商品関連情報を前記第１の領域とは異なる前記取引画面の第２表示領域に表示させる前記表示データを前記端末装置に対して送信し、前記第２の領域は、前記第１の領域よりも前記取引画面の下方に位置することを特徴とする。
【００４５】
請求項１９に記載の発明によれば、選択済み商品関連情報は、商品選択に関する所定の取引条件が満たされない場合には、表示部における第１表示領域に表示される一方、取引条件が満たされる場合には、当該選択済み商品関連情報の表示領域（第２表示領域）は下方に移動させられる。
【００４６】
したがって、ユーザは、取引条件が充足されるまで、第１表示領域で選択済み商品関連情報を確認することができ、また、選択済み商品関連情報が第１表示領域から第２表示領域に移動されたことに基づいて、取引条件が充足されたことを認識することができる。更に、取引条件が充足された場合は、選択済み商品関連情報の表示が下方へ移動するので、ユーザの視認性が高い画面上方において商品情報を大きく又は多く表示する際の妨げにならないことから、ユーザの視認性を向上させるともに、表示領域を有効活用できる。
【００４７】
請求項２０に記載の発明は、ネットワークを介して接続された端末装置に対して、商品の取引に関する電子商取引サイトを提供するサーバ装置であって、前記商品に関する商品情報を格納する商品情報格納手段と、前記端末装置に対して、複数商品分の商品情報を表示する取引画面を当該端末装置の表示部に表示させるための表示データを、前記商品情報格納手段を参照して生成する表示データ生成手段と、前記端末装置に対して、前記表示データ生成手段で生成された前記表示データを送信する送信手段と、前記端末装置から、前記取引画面において表示される商品情報に対応する商品のうち取引するものとして選択された商品を識別するための選択商品識別情報を受信する受信手段と、を備え、前記表示データ生成手段は、前記受信手段により受信された選択商品識別情報に基づいて選択操作された商品を識別し、これら識別された商品に関する商品情報のうち、取引に関係する選択済み商品関連情報を前記商品格納手段から取得して、前記選択された商品のその時点の取引状況が所定の取引条件を満たさない場合は、前記取引画面において前記選択済み商品関連情報を表示させる前記表示データを前記端末装置に対して送信する一方、前記取引条件が満たされている場合には、前記選択済み商品関連情報を前記取引画面に表示させない前記表示データを前記端末装置に対して送信することを特徴とする。
【００４８】
請求項２０に記載の発明によれば、選択済み商品関連情報は、商品選択に関する所定の取引条件が満たされない場合には、取引画面に表示される一方、取引条件が満たされる場合には、当該選択済み商品関連情報は表示されなくなる。
【００４９】
したがって、ユーザは、取引条件が充足されるまで、取引画面で選択済み商品関連情報を確認することができ、また、選択済み商品関連情報が表示されなくなったことに基づいて、取引条件が充足されたことを認識することができる。更に、取引条件が充足された場合は、選択済み商品関連情報が表示されなくなるので、選択済み商品関連情報が商品情報を大きく又は多く表示する際の妨げにならない。よって、ユーザの視認性を向上させられるとともに、表示領域を有効活用できる。
【発明の効果】
【００５０】
したがって、本発明によれば、ユーザは、取引条件が満たされるまで、選択済み商品関連情報を取引画面で確認しやすくなっており、また、選択済み商品関連情報の取引画面における表示の仕方が変わったことに基づいて、取引条件が満たされたことを認識することができる。更に、取引条件が満たされた場合は、選択済み商品関連情報の表示が商品情報を大きく又は多く表示する際の妨げになることが抑制されることから、ユーザの視認性を向上させることができる。
【図面の簡単な説明】
【００５１】
【図１】本実施形態における注文受付システムの概要構成の一例を示す図である。
【図２】本実施形態における注文受付サーバの概要構成の一例を示すブロック図である。
【図３】各種データベースに登録される内容の一例を示す図である。
【図４】本実施形態におけるユーザ端末の概要構成の一例を示すブロック図である。
【図５】本実施形態における商品一覧画面の画面例である。
【図６】本実施形態における商品一覧画面の画面例である。
【図７】本実施形態における注文受付システムの動作例を示すシーケンス図である。
【図８】本実施形態におけるユーザ端末の商品一覧画面表示時の動作例を示すフローチャートである。
【図９】本実施形態における注文受付システムの動作例を示すシーケンス図である。
【図１０】本実施形態の変形例における商品一覧画面の画面例である。
【発明を実施するための形態】
【００５２】
以下、図面を参照して本発明の実施形態について説明する。なお、以下に説明する実施の形態は、注文受付システムに対して本発明を適用した場合の実施形態である。
【００５３】
［１．注文受付システムの構成及び機能概要］
先ず、図１を用いて本発明の一実施形態に係る注文受付システムＳの構成及び概要機能について説明する。
【００５４】
図１に示すように、注文受付システムＳは、注文受付サーバ１（「サーバ装置」の一例）と、ユーザ端末２（「端末装置」の一例）と、店舗端末３と、を含むネットスーパーサイトとして構成されている。なお、図１の例では、説明の便宜上、一つのユーザ端末２を示しているが、実際には多数のユーザ端末から注文受付サーバ１にアクセス可能となっている。同様に、店舗端末３もネットスーパーサイトに参加するスーパーマーケットの数だけ存在する。ここで、ネットスーパーとは、既存のスーパーマーケットや店舗を持たない宅配専門の業者がインターネット上に設けたネットスーパーサイトを介して商品の注文を受け付け、注文者宅まで注文商品を届ける宅配サービスである。
【００５５】
注文受付サーバ１、ユーザ端末２、及び店舗端末３は、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００５６】
注文受付サーバ１は、スーパーマーケットが参加するネットスーパーサイトを運営するために設置されるサーバであり、ユーザ端末２から商品の注文を受け付け、注文内容をスーパーマーケット側に設置された店舗端末３に配信するようになっている。特に本実施形態の注文受付サーバ１は、ユーザ端末２に表示させる商品一覧画面（「取引画面」の一例）にて、ユーザにより選択された商品に関する情報を表示するいわゆる買い物かごの中身（「選択済み商品関連情報」の一例）を、送料無料条件（「取引条件」の一例）が充足されるまでユーザ端末２の表示部に表示させる一方、送料無料条件が充足された後には、買い物かごの中身を表示させるための操作が行われない限りユーザ端末２の表示部に表示させないようになっている。なお、本実施形態における送料無料条件は、２０００円（「送料無料金額」の一例）分の商品を買い物かごに登録することである。また、送料無料条件が充足された状態で会計処理が行われた場合には、買い物かごに登録された商品の送料が無料となるという特典がユーザに付与される。
【００５７】
ユーザ端末３は、Ｗｅｂブラウザ機能を有し、注文受付サーバ１に例えばＨＴＴＰ（Hyper Text Transfer Protocol）リクエストを送信してそのレスポンスとしてＷｅｂページ等を取得し、ディスプレイ上に表示するようになっている。これにより、ユーザ端末３のユーザは、ネットスーパーサイトから提供される情報を閲覧することができる。なお、ユーザ端末３には、例えば、パーソナルコンピュータ、ＰＤＡ（Personal Digital Assistant）、携帯電話機等が適用可能である。
【００５８】
［２．注文受付サーバ１の構成及び機能］
次に、注文受付サーバ１の構成及び機能について、図２及び図３を用いて説明する。
【００５９】
図２に示すように、注文受付サーバ１は、通信部１１と、記憶部１２と、入出力インターフェース部１３と、システム制御部１４と、を備えている。そして、システム制御部１４と入出力インターフェース部１３とは、システムバス１５を介して接続されている。
【００６０】
通信部１１は、ネットワークＮＷに接続して、ユーザ端末２又は店舗端末３との通信状態を制御するようになっている。
【００６１】
記憶部１２は、例えば、ハードディスクドライブ等により構成されており、オペレーティングシステムや、サーバ用のソフトウェア等の各種ソフトウェアを記憶する。なお、各種ソフトウェアは、例えば、他のサーバ装置等からネットワークＮＷを介して取得されるようにしても良いし、記録媒体に記録されてドライブ装置を介して読み込まれるようにしても良い。
【００６２】
また、記憶部１２には、ネットスーパーサイトからユーザ端末２や店舗端末３に提供されるサイト情報を記憶する。ここで、サイト情報は、例えば、各種画面のＷｅｂページ及びＷｅｂページ上に組み込まれる画像等のデータである。
【００６３】
また、記憶部１２には、会員ＤＢ（Data Base）１２１、店舗ＤＢ１２２、在庫ＤＢ１２３、商品ＤＢ１２４、画像ＤＢ１２５及び購入履歴ＤＢ１２６が構築されている。なお、記憶部１２は、サーバ装置の「商品情報格納手段」の一例である。
【００６４】
図３（Ａ）に示す会員ＤＢ１２１には、会員登録された会員（ネットスーパーの利用者であり、商品の注文者）の会員ＩＤ、認証パスワード、会員名称、生年月日、性別、会員住所、会員電話番号、メールアドレス、届先名称、届先住所、及び届先電話番号等の属性情報（以下、「会員情報」という）が登録されている。会員情報は、会員ＩＤによって会員毎に判別可能になっている。ここで、会員ＩＤは、会員を識別するための識別子である。また、届先は、ネットスーパーで購入した商品の配達先を意味する。また、会員ＩＤ及び認証パスワードは、ログイン処理（会員の認証処理）に使用されるログイン情報である。
【００６５】
図３（Ｂ）に示す店舗ＤＢ１２２には、ネットスーパーに出店しているスーパーマーケット（支店も含む）の店舗ＩＤ、店舗名称、店舗住所、店舗電話番号、配達可能地域及び配達可能時間等の店舗情報が登録されている。店舗情報は、店舗ＩＤによってネットスーパーに出店しているスーパーマーケット毎、又は支店ごとに判別可能になっている。ここで、店舗ＩＤは、出店店舗又は出店支店を識別するための識別子である。
【００６６】
図３（Ｃ）に示す在庫ＤＢ１２３には、店舗ＩＤ毎に、店舗ＩＤで識別される店舗で取り扱う商品のジャンルＩＤ、商品ＩＤ、在庫数量、販売価格、仕入価格及び画像ＩＤが登録されている。ここで、ジャンルＩＤは、商品が属するジャンルを識別するための識別子である。商品ＩＤは、商品の種別を識別するための識別子であり、画像ＩＤは商品の画像を識別するための識別子である。在庫ＤＢ１２３に登録されている情報は、各店舗に設置されている店舗端末３から受信する情報に基づいて適宜更新されるようになっている。また、在庫ＤＢ１２３を注文受付サーバ１ではなく、各店舗に設置される店舗端末３内の記憶部に設け、注文受付サーバ１が店舗端末３内の在庫ＤＢ１２３にアクセスできるようにしてもよい。
【００６７】
図３（Ｄ）に示す商品ＤＢ１２４には、商品ＩＤ毎に、商品名称、商品の規格、商品の生産地などが登録されている。すなわち、商品ＤＢ１２４は、複数商品の画像、名称、及び価格の少なくとも何れか１つを商品情報として、対応する商品に関連付けて格納する商品情報格納手段として機能する。商品の規格としては、Ｌ（large）、Ｍ（middle）、Ｓ（small）など商品のサイズを示すデータや、商品の容量を示すデータ、商品の梱包単位（例えば、１袋３個入りなど）を示すデータなどが登録される。
【００６８】
図３（Ｅ）に示す画像ＤＢ１２５には、画像ＩＤ毎に、ユーザ端末２に送信される画像データが登録されている。画像ＤＢ１２５への画像データの登録は、ネットスーパーの運営スタッフが登録することもできるし、スーパーマーケットのスタッフが店舗端末３から登録することもできる。
【００６９】
図３（Ｆ）に示す購入履歴ＤＢ１２６には、会員がネットスーパーサイトを利用して購入した商品に関する履歴情報が登録されている。具体的には、会員ＩＤ、購入年月日、購入店舗ＩＤ、購入商品ＩＤ、及び注文数量が登録されている。
【００７０】
入出力インターフェース部１３は、通信部１１及び記憶部１２と、システム制御部１４との間のインターフェース処理を行うようになっている。
【００７１】
システム制御部１４は、ＣＰＵ（Central Processing Unit）１４ａ、ＲＯＭ（Read Only Memory）１４ｂ、ＲＡＭ（Random Access Memory）１４ｃ等により構成されている。そして、ＣＰＵ１４ａが、ＲＯＭ１４ｂや記憶部１２に記憶された各種プログラムを読み出し実行することにより各種機能を実現する。なお、システム制御部１４は、サーバ装置の「送信手段」、「受信手段」の一例である。
【００７２】
システム制御部１４は、ユーザ端末２の表示部に商品一覧画面を表示させるためのＷｅｂページデータ（「商品一覧画面用Ｗｅｂページデータ」）を生成し、ユーザ端末２に送信する。
【００７３】
［３．ユーザ端末２の構成及び機能］
次に、ユーザ端末２の構成及び機能について、図４乃至図６を用いて説明する。
【００７４】
図４に示すように、ユーザ端末２は、操作部３１と、表示部３２と、通信部３３と、記憶部３４と、入出力インターフェース部３５と、システム制御部３６と、を備えている。そして、システム制御部３６と入出力インターフェース部３５とは、システムバス３７を介して接続されている。
【００７５】
操作部３１は、例えば、キーボード、マウス等により構成されており、ユーザからの操作指示を受け付け、その指示内容を指示信号としてシステム制御部３６に出力するようになっている。表示部３２は、例えば、ＣＲＴ（Cathode Ray Tube）ディスプレイ、液晶ディスプレイ等により構成されており、文字や画像等の情報を表示するようになっている。
【００７６】
通信部３３は、ネットワークＮＷに接続して、注文受付サーバ１との通信状態を制御するようになっている。
【００７７】
記憶部３４は、例えば、ハードディスクドライブ等により構成されており、オペレーティングシステムやブラウザソフトなどの各種ソフトウェア等を記憶する。なお、これらのソフトウェアは、例えば、他のサーバ装置等からネットワークＮＷを介して取得されるようにしても良いし、記録媒体に記録されてドライブ装置を介して読み込まれるようにしても良い。
【００７８】
入出力インターフェース部３５は、操作部３１、表示部３２、通信部３３及び記憶部３４と、システム制御部３６との間のインターフェース処理を行うようになっている。
【００７９】
システム制御部３６は、ＣＰＵ（Central Processing Unit）３６ａ、ＲＯＭ（Read Only Memory）３６ｂ、ＲＡＭ（Random Access Memory）３６ｃ等により構成されている。そして、ＣＰＵ３６ａが、ＲＯＭ３６ｂや記憶部３４に記憶された各種プログラムを読み出し実行することにより、各種機能を実現する。なお、システム制御部１４は、端末装置の「受信手段」、「表示制御手段」、「選択操作検出手段」の一例である。
【００８０】
また、システム制御部３６は、注文受付サーバ１から、商品一覧画面用Ｗｅｂページデータを受信すると、商品一覧画面を表示部３２に表示させる。ここで、図５及び図６を用いて商品一覧画面２００について説明する。なお、図５は、送料無料条件が充足される前の状態の商品一覧画面２００を示しており、図６は、送料無料条件が充足された後の状態の商品一覧画面２００を示している。
【００８１】
図５に示すように、商品一覧画面２００の選択可能商品表示エリア２１０には、ユーザが選択することが可能な商品、すなわち、買い物かご２５０に登録することのできる商品が表示される。また、選択可能商品表示エリア２１０には、商品毎に、商品の注文数量を選択する際に用いられる注文数量選択ボックス２１１、商品を買い物かごに入れる際に用いられる買い物かごボタン２１２、商品名称２１３、商品の生産地２１４、商品の価格（在庫ＤＢ１２３の販売価格に対応）２１５及び商品画像２１６が表示される。買い物かごボタン２１２が押下（クリック）された商品については、注文数量選択ボックス２１１内に表示されている注文数量にて買い物かご２５０に登録されることとなる。また、買い物かご２５０内には、買い物かご２５０に登録された商品について会計を行う際に用いられる会計ボタン２５１が設けられており、会計ボタン２５１が押下（クリック）されると会計画面（図示しない）へと遷移することとなる。なお、商品名称２１３、商品の生産地２１４、商品の価格２１５及び商品画像２１６など、商品一覧画面２００に表示される商品に関する情報は、本発明の「商品情報」の一例である。
【００８２】
また、選択可能商品表示エリア２１０の上方には、選択可能商品表示エリア２１０に表示する商品を絞り込む際に用いられる大ジャンル選択エリア２０１ａ、中ジャンル選択エリア２０１ｂ及び小ジャンル選択エリア２０１ｃが設けられている。ユーザは、選択可能商品表示エリア２１０に表示させたい商品が属するジャンルを、大ジャンル、中ジャンル、小ジャンルの順で選択することにより、表示対象とすべき商品を絞り込むことができる。
【００８３】
選択可能商品表示エリア２１０の図５における右方には、買い物かご２５０が表示されている。買い物かご２５０には、ユーザが押下（クリック）した買い物かごボタン２１２に対応する商品に関する情報である選択済み商品関連情報（選択された商品の名称、注文数量、販売価格、選択された商品の販売価格の合計額を示す情報）が表示される。
【００８４】
このように、図５では、送料無料条件が充足される前の状態における商品一覧画面２００を示しており、送料無料条件が充足される前には、買い物かご２５０の中身である選択済み商品関連情報（選択された商品の名称、注文数量、販売価格、選択された商品の販売価格の合計額を示す情報）を確認できるようになっている。一方、図６に示すように、送料無料条件が充足される後の状態における商品一覧画面２００では、折り畳まれた状態の買い物かご２５０が表示されており、買い物かご２５０の中身である選択済み商品関連情報を確認できないようになっている。
【００８５】
図６に示すように、折り畳まれた状態の買い物かご２５０が、買い物かごの中身、すなわち、選択した商品に関する情報（選択された商品の名称、注文数量、販売価格、選択された商品の販売価格の合計額を示す情報）を表示しない代わりに、選択可能商品表示エリア２１０が広がり、選択可能商品表示エリア２１０に表示される商品数が増加している。また、ユーザが買い物かご２５０の中身を確認したい場合には、図６の買い物かご２５０の何れかの領域を選択する（ポインタで指示したり、クリックする）操作（「表示操作」の一例）を行うことにより、図５に示したように送料無料条件が充足される前の状態における買い物かご２５０が表示され、買い物かご２５０の中身である選択済み商品関連情報を確認できるようになっている。
【００８６】
また、図５に示すように、送料無料条件が充足される前の状態における商品一覧画面２００の買い物かご２５０の上方には、条件表示エリア２６０が設けられており、送料無料条件に関する情報が表示されている。具体的には、２０００円から、買い物かごに登録されている商品の販売価格の合計額（図５の例では１２５４円）を引いた額が、２０００円に達するまでに必要な金額として表示される。また、条件表示エリア２６０は、送料無料条件が充足されるまで表示されるが、送料無料条件が充足された後は表示されない（図６参照）。なお、条件表示エリア２６０には、２０００円に達するまでに必要な金額を表示する代わりに、送料無料条件に関する情報として、「２０００円分の商品を選択（購入）すれば送料は無料です。」といったメッセージを表示することとしてもよい。
【００８７】
［４．注文受付システムＳの動作］
次に、本発明の一実施形態に係る注文受付システムＳの動作について説明する。
【００８８】
図７及び図９に示すシーケンス図と、図８に示すフローチャートを用いて、注文受付サーバ１がネットスーパーで取り扱っている商品に関する情報をユーザ端末２に提供し、当該情報に基づいてユーザ端末２にて指定された商品の注文を受け付け、その注文内容を店舗端末３に送信する際の動作について説明する。なお、当該シーケンス図に示す処理が開始する前に、ユーザ端末２は、ネットスーパーサイトにアクセスし、ネットスーパーサイトのトップページ（図示しない）を表示部３２に表示しているものとする。
【００８９】
まず、ユーザ端末２のシステム制御部３６は、会員ＩＤとパスワードを注文受付サーバ１に送信するための操作を検出すると、入力された会員ＩＤとパスワードを注文受付サーバ１に送信する（ステップＳ１０１）。
【００９０】
注文受付サーバ１のシステム制御部１４は、会員ＩＤとパスワードを受信すると、ログイン処理を行う（ステップＳ１０２）。具体的には、システム制御部１４は、受信した会員ＩＤに基づいて会員ＤＢ１２１を検索し、該当する会員ＩＤが登録されているか否かを確認し、登録されている場合には、受信したパスワードと会員ＤＢ１２１に登録されている認証パスワードとが一致するか否かを確認する。そして、システム制御部１４は、該当する会員ＩＤが会員ＤＢ１２１に登録されており、且つ、パスワードが一致した場合にのみログイン処理に問題がないと判定する。
【００９１】
システム制御部１４は、ログイン処理に問題があると判定した場合には、ログイン処理でエラーが発生した旨を示すエラー情報をユーザ端末２に送信し、エラーメッセージをユーザ端末２のディスプレイに表示させる。一方、システム制御部１４は、ログイン処理に問題がないと判定した場合には、会員ＤＢ１２１を参照し、登録されている届先住所を取得し、次いで、店舗ＤＢ１２２を参照し、取得した届先住所を配達可能地域に含む店舗又は支店のリストを取得する（ステップＳ１０３）。
【００９２】
次いで、システム制御部１４は、取得した届先住所と、店舗リストを表示する店舗リスト画面（図示しない）を表示させるためのＷｅｂページデータ（「店舗リスト画面用Ｗｅｂページデータ」という）を生成し（ステップＳ１０４）、ユーザ端末２に送信する（ステップＳ１０５）。
【００９３】
ユーザ端末２のシステム制御部３６は、店舗リスト画面用Ｗｅｂページデータを受信すると店舗リスト画面を表示部３２に表示させる（ステップＳ１０６）。店舗リスト画面が表示されると、ユーザ（会員）は、(i)表示された届先住所が注文商品を受け取る住所であるか否かの確認、及び(ii)注文（購入）先店舗の選択、を行う。なお、住所に誤りがある場合や、届先住所とは異なる住所で商品を受け取る場合には、商品を受け取る正しい住所を新届先住所として送信し、注文受付サーバ１から改めて店舗リスト画面用Ｗｅｂページを受信する。このとき、注文受付サーバ１のシステム制御部１４は、新届先住所を受信すると、新届先住所を配達可能地域に含む店舗のリストを改めて取得し、新届先住所と、取得した店舗リストを表示するための店舗リスト画面用Ｗｅｂページを生成し、ユーザ端末２に送信する。
【００９４】
ユーザ端末２のシステム制御部３６は、ユーザにより注文先店舗が選択されると、選択された店舗の店舗ＩＤを注文受付サーバ１に送信する（ステップＳ１０７）。
【００９５】
注文受付サーバ１のシステム制御部１４は、店舗ＩＤを受信すると、在庫ＤＢ１２３を参照し、受信した店舗ＩＤに対応する店舗で扱われている商品の商品リストを取得する（ステップＳ１０８）。また、システム制御部１４は、商品ＤＢ１２４及び画像ＤＢ１２５を参照し、取得した商品リストに含まれる商品のジャンルＩＤ、商品名称、販売価格、規格及び生産地等を示す情報や画像データなどの、商品情報を取得する。
【００９６】
次いで、システム制御部１４は、取得した商品リストに含まれる商品に関する商品情報を表示させるための商品一覧画面用Ｗｅｂページデータを生成し（ステップＳ１０９）、ユーザ端末２に送信する（ステップＳ１１０）。
【００９７】
ユーザ端末２のシステム制御部３６は、商品一覧画面用Ｗｅｂページデータを受信すると商品一覧画面２００を表示部３２に表示させる（ステップＳ１１１）。商品一覧画面２００が表示されると、ユーザ（会員）は、選択可能商品表示エリア２１０に表示されている商品について、注文数量を注文数量選択ボックス２１１にて選択し、買い物かごボタン２１２を押下（クリック）することにより商品を買い物かご２５０に登録することができる。そして、注文する商品を全て買い物かご２５０に登録した後、会計ボタン２５１を押下（クリック）することで会計処理を行うことができる。
【００９８】
ここで、図８を用いて、ユーザ端末２のシステム制御部３６が、商品一覧画面２００を表示部３２に表示させている際の処理について説明する。
【００９９】
まず、システム制御部３６は、買い物かごボタン２１２が押下（クリック）されたか否かを判別する（ステップＳ５０１）。このとき、システム制御部３６は、買い物かごボタン２１２が押下（クリック）されていないと判別したときには（ステップＳ５０１：ＮＯ）、ステップＳ５０５の処理に移行する。一方、システム制御部３６は、買い物かごボタン２１２が押下（クリック）されたと判別したときには（ステップＳ５０１：ＹＥＳ）、押下（クリック）された買い物かごボタン２１２に対応する商品を買い物かご２５０に登録する（ステップＳ５０２）。
【０１００】
次いで、システム制御部３６は、送料無料条件が充足されたか否かを判別する（ステップＳ５０３）。具体的には、買い物かご２５０に登録した商品の販売価格の合計額が、送料無料金額（２０００円）に達したか否かを判別する。このとき、システム制御部３６は、送料無料条件が充足されていないと判別したときには（ステップＳ５０３：ＮＯ）、ステップＳ５０５の処理に移行する。一方、システム制御部３６は、送料無料条件が充足されたと判別したときには（ステップＳ５０３：ＹＥＳ）、買い物かご２５０の中身を表示しないように、折り畳まれた状態の買い物かご２５０を表示させる（ステップＳ５０４）。
【０１０１】
次いで、システム制御部３６は、会計ボタン２５１が押下（クリック）されたか否かを判別する（ステップＳ５０５）。このとき、システム制御部３６は、会計ボタン２５１が押下（クリック）されていないと判別したときには（ステップＳ５０５：ＮＯ）、ステップＳ５０１の処理に移行する。一方、システム制御部３６は、会計ボタン２５１が押下（クリック）されたと判別したときには（ステップＳ５０５：ＹＥＳ）、買い物かご２５０に登録されている全商品及びその注文数量を示す注文データを生成し（ステップＳ５０６）、当該フローチャートにおける処理を終了する。
【０１０２】
システム制御部３６は、注文データを生成すると、図９に示すように、注文データを注文受付サーバ１に送信する（ステップＳ２０１）。
【０１０３】
注文受付サーバ１のシステム制御部１４は、注文データを受信すると、注文データを記憶部１２に保持するとともに（ステップＳ２０２）、注文内容に間違いがないかをユーザに確認してもらうための注文内容確認画面（図示しない）を表示させるための注文内容確認画面用Ｗｅｂページデータを、注文データに基づいて生成する（ステップＳ２０３）。次いで、システム制御部１４は、注文内容確認画面用Ｗｅｂページデータをユーザ端末２に送信する（ステップＳ２０４）。
【０１０４】
ユーザ端末２のシステム制御部３６は、注文内容確認画面用Ｗｅｂページデータを受信すると注文内容確認画面を表示部３２に表示させる（ステップＳ２０５）。注文内容確認画面には、商品一覧画面２００においてユーザが注文した内容（注文商品、数量）を確認できるようになっており、ユーザは、注文内容確認画面で注文内容を確認し、誤りがなければ了承ボタンを押下（クリック）する。システム制御部３６は、了承ボタンに対する押下（クリック）操作を検出すると、ユーザが注文内容を了承した旨を示す了承データを注文受付サーバ１に送信する（ステップＳ２０６）。
【０１０５】
注文受付サーバ１のシステム制御部１４は、了承データを受信すると、ステップＳ２０２の処理で保持した注文データを注文受付ＤＢ（図示しない）に登録する（ステップＳ２０７）。次いで、システム制御部１４は、注文受付が完了した旨を示す注文完了画面（図示しない）を表示させるための注文完了画面用Ｗｅｂページデータを生成し（ステップＳ２０８）、ユーザ端末２に送信する（ステップＳ２０９）。また、システム制御部１４は、注文受付ＤＢに登録した注文データを店舗端末３に送信する（ステップＳ２１０）。
【０１０６】
ユーザ端末２のシステム制御部３６は、注文完了画面用Ｗｅｂページデータを受信すると注文完了画面を表示部３２に表示させる（ステップＳ２１１）。
【０１０７】
以上説明したように、本実施形態のユーザ端末２によれば、買い物かご２５０の中身（買い物かご２５０に登録された商品に関する情報、「選択済み商品関連情報」の一例）は、送料無料条件（「取引条件」の一例）が充足されるまで、商品一覧画面２００内に表示される一方、送料無料条件が充足された後には、折り畳まれた状態の買い物かご２５０（図６参照）の何れかの領域を選択する操作が検出されない限り表示されない。
【０１０８】
したがって、ユーザは、送料無料条件が充足されるまで、買い物かご２５０の中身を確認することができ、また、買い物かご２５０の表示が折り畳まれた状態買い物かご２５０（図６参照）の表示に切り替わったことに基づいて、送料無料条件が充足されたことを認識することができる。更に、送料無料条件が充足された以降は、買い物かご２５０の中身の表示が商品情報を多く表示する際の妨げにならないことから、ユーザの視認性を向上させることができる。
【０１０９】
ネットスーパーなどでは、合計購入金額が所定の額に達した場合に、商品の配送料をスーパーマーケット側が負担するサービス（いわゆる、送料無料サービス）など、商品の購入について所定の条件が充足された場合に、購入者に特典を付与するサービスが行われている。このため、ユーザはどの商品をどれだけ購入すればよいかと、買い物かごの中身を意識しながら商品を選択する場合が多く、商品一覧画面に多くの商品を表示させるためとはいえ、買い物かごを完全に非表示とすることはユーザの利便性を低下させることに繋がるところ、本実施形態では送料無料条件が充足されるまで、買い物かご２５０の中身を確認することが可能なようになっている。
【０１１０】
また、ユーザ端末２によれば、送料無料条件が充足されるまで、条件表示エリア２６０が表示される（図５参照）。すなわち、ユーザの選択した商品の価格の合計額が２０００円に達するまでの間、２０００円に達するまでの残り金額が表示されることから、ユーザは、２０００円に達するまで、あと幾ら分、商品を選択すればよいか、容易に把握することができる。
【０１１１】
また、買い物かご２５０の中身（「選択済み商品関連情報」の一例）として、買い物かごボタン２１２を押下（クリック）する操作（「選択操作」の一例）により選択された商品の名称、販売価格、及び選択された商品の価格の合計額が表示される。したがって、ユーザは、自分が選択した商品の名称、販売価格、及び選択した商品の価格の合計額を容易に認識することができる。
【０１１２】
また、数万種類にわたる商品を取り扱うネットスーパーサイトにおいてたくさんの商品を選択するユーザは、買い物かご２５０が常に表示されていることを煩わしいと感じる場合があるが、ユーザ端末２によれば、送料無料条件が充足されることにより表示されなくなるため、煩わしさを感じにくくなる。
【０１１３】
特に、ネットスーパーサイトでは、通常扱う商品が生鮮食品や日用雑貨など多種多品目にわたる上、扱う商品一つ一つが少額である。そのため、ネットスーパーサイトでの買い物では、１つの商品ではなく複数の商品を購入して送料無料となる購入額に達することが比較的多い。そのため、ユーザは、送料無料額に達する前までは、現在の買い物かご内の合計額が気になるところであると同時に、商品１つかごに入れるたびに何らかの付加的な操作をして確認しなければならないとなると、非常に煩雑になってしまう。したがって、送料無料に達するまでは、確認しやすい位置にこれまでの購入額が表示されていることが好ましい。
【０１１４】
一方、上述したように、ネットスーパーサイトは扱う商品が多種多品目にわたるため、できるだけ商品表示画面を有効に使いたいという要望がある。すなわち、商品選択画面における一商品当たりの表示面積が小さくなりユーザにとって見にくいという問題や、商品選択画面が大きく（例えば、縦長）になり、ユーザが商品を選択するために画面をスクロールしなければならないという問題がある。そのため、買い物かごが商品選択画面の上端や右端などに表示され続けると、多くの商品を表示させる際の妨げとなってしまう場合もある。
【０１１５】
このように、ネットスーパーサイトは、その性質ゆえ、上述したような相反する要望があるところ、本実施形態に係るユーザ端末２によれば、送料無料額に達するまでは買い物かご２５０を図５のように表示する一方、送料無料額に達した後は買い物かご２５０の中身は図６のように表示されなくすることで、これら相反する要望を満たすことが可能となる。
【０１１６】
なお、本実施形態では、送料無料条件が、買い物かご２５０に登録された商品の販売価格の合計額が所定の額２０００円に達することであったが、これに代えて、買い物かご２５０に登録された商品の数が所定の数（例えば、１０品、「送料無料数」の一例）に達することとしてもよい。この場合、ユーザは、自分が選択した商品の数が所定の数に達するまでの間、買い物かご２５０の中身を確認しながら商品を選択することができる。
【０１１７】
また、本実施形態では、送料無料条件が充足された後には、買い物かご２５０の表示を折り畳まれた状態の買い物かご２５０（図６参照）の表示に切り替えることとしている。この点について、例えば、図１０に示すように、送料無料条件が充足される後、買い物かご２５０を、商品一覧画面２００において、図５の買い物かご２５０の領域（第１表示領域）より下方の図１０の買い物かご２５０Ａの領域（第２表示領域）に移動してもよい。この場合においても、ユーザは、送料無料条件が充足された後には、買い物かご２５０の中身を気にすることなく商品を引き続き選択することができる。また、買い物かご２５０を表示していた領域分だけ、選択可能商品表示エリア２１０を広げることができる。なお、選択可能商品表示エリア２１０を広げる場合には、表示する商品数をそのままにして各商品情報の表示を大きくすることとしてもよい。また、ここでいう上下の方向は、ユーザ端末２の表示部に表示された商品一覧画面２００の商品表示及び文字の配列から当然想定される上下方向をいう。
【０１１８】
第２表示領域は、図１０に示すように、商品一覧画面２００において選択可能商品表示エリア２１０よりも下方であってもよい。
【０１１９】
なお、図５の場合、第１表示領域は、商品一覧画面２００において選択可能商品表示エリア２１０と画面の上下方向において重なる部分を有しているが、第１表示領域を、商品一覧画面２００において、選択可能商品表示エリア２１０より上方に位置させてもよい。
【０１２０】
さらに、例えば、商品一覧画面を縦長とし、縦スクロール操作をしなければ画面の全域を表示できないように構成した場合には、送料無料条件が充足されるまで、折り畳まれた状態ではない買い物かご２５０を、商品一覧画面の上部に設けるとともに、送料無料条件が充足された後には、折り畳まれた状態ではない買い物かご２５０を、下方へのスクロール操作（「表示操作」の一例）をしなければ表示できない商品一覧画面の最下部に移動させることとしてもよい。この場合、ユーザは、送料無料条件が充足された後には、買い物かご２５０の中身を気にすることなく商品を引き続き選択することができる。また、買い物かご２５０を表示していた領域分だけ、選択可能商品表示エリア２１０を広げることができる。なお、選択可能商品表示エリア２１０を広げる場合には、表示する商品数をそのままにして各商品情報の表示を大きくすることとしてもよい。
【０１２１】
更に、図８に示したステップＳ５０１〜ステップＳ５０６の処理について、ユーザ端末２のシステム制御部３６のみで処理を行うかのように上述したが、これらの処理をユーザ端末２のシステム制御部３６と、注文受付サーバ１のシステム制御部１４とで、データをやりとりしながら連携して行うこととしてもよい。具体的には、ユーザ端末２は、買い物かごボタン２１２が押下（クリック）される度に、選択された商品の商品ＩＤ及び注文数量を注文受付サーバ１に送信する。注文受付サーバ１は、通信部１１（「受信手段」として機能）で受信した商品ＩＤ及び注文数量（「選択商品識別情報」の一例）に基づいて、買い物かご２５０の表示を更新させるための表示データをシステム制御部１４（「表示データ生成手段」として機能）で生成する。その後、注文受付サーバ１の通信部１１（「送信手段」として機能）は生成された表示データをユーザ端末２に返信する。但し、注文受付サーバ１は、複数回にわたって選択商品識別情報として商品ＩＤを受信し、選択された商品の販売価格の合計が２０００円に達したとシステム制御部１４において判別したときには、折り畳まれた状態の買い物かご２５０を表示させるための表示データ、又は買い物かご２５０を第２表示領域に移動させて表示させるための表示データを通信部１１から返信する。また、ユーザ端末２は、会計ボタン２５１が押下（クリック）されると、会計ボタン２５１が押下（クリック）されたことを示すデータを注文受付サーバ１に送信し、注文受付サーバ１は当該データを受信すると、それまでに受信した商品ＩＤ及び注文数量に基づいて、注文内容確認画面用Ｗｅｂページデータ生成する。なお、これらの処理は、図８に示したステップＳ５０１〜ステップＳ５０６の処理、及び、図９に示したステップＳ２０１〜ステップＳ２０３の処理に対応する。
【０１２２】
更にまた、本実施形態においては、買い物かご２５０を商品一覧画面２００内に表示することとしているが、買い物かご２５０を別画面（別ウィンドウ）に表示することとしてもよい。この場合、送料無料条件が充足される前の状態では、買い物かご２５０を表示する別画面を表示部３２の表示領域の何れかの領域に常に表示させておき、送料無料条件が充足された後の状態では、当該別画面を閉じてしまい、所定の操作(例えば、商品一覧画面２００内に設けられた買い物かご表示ボタンをクリックする操作)が検出された場合にのみ再表示することとする。
【０１２３】
また、上記実施形態では、ネットスーパーサイトにアクセスし、ネットスーパーサイトのトップページ（図示しない）を表示部に表示後すぐにログイン処理を行っているが、ログイン処理を行うタイミングはこれに限られない。例えば、買い物かご２５０に登録されている全商品及びその注文数量を示す注文データを注文受付サーバ１に送信する際にログイン処理をおこなってもよい。この場合、過去にユーザが端末装置から注文受付サーバ１にアクセスした際に生成され、端末装置に保存されていたクッキー（Cookie）情報によって、その後ユーザが端末装置からネットスーパーサイトにアクセスした際に、ユーザの届先住所を配達可能地域に含む店舗又は支店のリストを取得してもよい。
【０１２４】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１２５】
１  注文受付サーバ
２  ユーザ端末
３１  ユーザ端末／操作部
３２  ユーザ端末／表示部
３３  ユーザ端末／通信部
３４  ユーザ端末／記憶部
３５  ユーザ端末／入出力インターフェース部
３６  ユーザ端末／システム制御部
３７  ユーザ端末／システムバス
３  店舗端末
ＮＷ  ネットワーク
Ｓ  注文受付システム
【図１】
2011159062.tif 000003
【図２】
2011159062.tif 000004
【図３】
2011159062.tif 000005
【図４】
2011159062.tif 000006
【図７】
2011159062.tif 000007
【図８】
2011159062.tif 000008
【図９】
2011159062.tif 000009
【図５】
2011159062.tif 000010
【図６】
2011159062.tif 000011
【図１０】
2011159062.tif 000012